(57)【要約】【課題】カメラボディから供給される電源電圧とカメラボディに接続される自装置が動作する電源電圧とが異なる電圧の場合であっても、適切な動作が可能となるカメラアクセサリー、交換レンズ、及びアダプターを提供する。【解決手段】カメラボディと着脱可能なカメラアクセサリーであって、カメラボディから供給される電源電圧を、当該供給される電源電圧に基づいて電圧を変更する電源電圧変更部と、電源電圧変更部から電源電圧が供給され所定の通信を実行する通信部と、電源電圧変更部から供給される電源電圧に基づいて、カメラボディからカメラアクセサリーに送信される通信信号のレベルを変更するとともに、カメラボディから供給される電源電圧に基づいて、カメラアクセサリーからカメラボディに送信する通信信号のレベルを変更するレベルシフト部とを備える。【選択図】図１
2013172195.tif 000002
【特許請求の範囲】
【請求項１】
カメラボディと着脱可能なカメラアクセサリーであって、
前記カメラボディから供給される電源電圧を、当該供給される電源電圧に基づいて電圧を変更する電源電圧変更部と、
前記電源電圧変更部から電源電圧が供給され所定の通信を実行する通信部と、
前記電源電圧変更部から供給される電源電圧に基づいて、前記カメラボディから前記カメラアクセサリーに送信される通信信号のレベルを変更するとともに、前記カメラボディから供給される電源電圧に基づいて、前記カメラアクセサリーから前記カメラボディに送信する前記通信信号のレベルを変更するレベルシフト部と、
を備えることを特徴とするカメラアクセサリー。
【請求項２】
前記電源電圧変更部は、前記カメラボディから供給された電源電圧が、前記通信部が動作する電源電圧である第１の電圧の場合は、前記供給された電源電圧の電圧を前記通信部に供給し、前記第１の電圧より高い第２の電圧の場合は、前記第１の電圧になるように電圧を降圧して前記通信部に供給することを特徴とする請求項１に記載のカメラアクセサリー。
【請求項３】
前記カメラボディから供給される電源電圧の電圧値を検出する電源電圧検出部を備えており、
前記通信部は、前記電源電圧検出部が検出した電圧値に基づいて、前記カメラアクセサリーと前記カメラボディとの間で送受信される前記通信信号の通信プロトコルを切換えることを特徴とする請求項２に記載のカメラアクセサリー。
【請求項４】
前記通信部は、前記第１の電源電圧に対応した前記通信プロトコルと前記第２の電源電圧に対応した前記通信プロトコルとを、前記電源電圧検出部が検出した電圧値に基づいて、選択して切換えることを特徴とする請求項３に記載のカメラアクセサリー。
【請求項５】
請求項１から請求項４の何れか１項に記載のカメラアクセサリーは、交換レンズであることを特徴とする交換レンズ。
【請求項６】
請求項１から請求項４の何れか１項に記載のカメラアクセサリーは、前記カメラボディと交換レンズとの間に設置されるアダプターであって、
前記カメラボディに対して接続するための第１の接続部と、
前記交換レンズに対して接続するための第２の接続部と、
を備えており、
前記第２の接続部を介して、前記交換レンズに前記電源電圧変更部から出力される電源電圧を供給し且つ前記交換レンズとの間で前記通信信号が送受信されることを特徴とするアダプター。
【請求項７】
前記カメラボディから供給される電源電圧の電圧値を検出する電源電圧検出部を備えており、
前記アダプターが備える前記通信部は、
前記電源電圧検出部が検出した電圧値に基づいて、前記アダプターと前記カメラボディとの間で送受信される前記通信信号の通信プロトコルを切換え、
前記電源電圧検出部が検出した電圧値に基づいて、前記アダプターと前記カメラボディとの間で送受信される前記通信信号の前記通信プロトコルを切換えるとともに、当該切換えた前記通信プロトコルが前記交換レンズの前記通信プロトコルと異なる場合は、前記交換レンズの前記通信プロトコルと当該切換えた前記通信プロトコルとの間のプロトコルを変換することを特徴とする請求項６に記載のアダプター。
【発明の詳細な説明】
【技術分野】
【０００１】
本発明は、カメラアクセサリー、交換レンズ、及びアダプターに関する。
【背景技術】
【０００２】
従来、カメラボディから電源を供給されて動作するカメラアクセサリー、主に交換レンズは、電源の供給に加えてその交換レンズの情報、或いは自動焦点駆動機構もしくは絞り駆動機構等を制御するための情報を、接続されたカメラボディとの間で送受信している。
レンズ交換式のカメラシステムは、カメラボディや交換レンズを付け替えて使用される。そのため、ユーザーは、新しくカメラボディや交換レンズを購入した場合であっても、ユーザーが以前から所持しているカメラボディや交換レンズとも付け替えて長い期間にわたって使用することが一般的である。ところで、時代とともに消費電力の低減のために、カメラボディや交換レンズの動作を制御するＣＰＵの電源電圧は低下してきている。このため、新しく電源電圧の低いＣＰＵを用いて、レンズ交換式のカメラシステムが設計された場合、その設計されたＣＰＵの電源電圧よりも高い電源電圧のレンズ交換式のカメラシステムと接続した際に、電源電圧や送受信される通信信号の整合が取れないことが生じる場合がある。
【０００３】
なお、従来技術として、カメラボディの電源電圧と異なる電源電圧で駆動されるカメラアクセサリーをカメラボディに接続した場合、カメラアクセサリーの制御回路の動作を停止させることで、当該制御回路の誤動作を防止することが提案されている。（例えば、特許文献１参照）。
【先行技術文献】
【特許文献】
【０００４】
【特許文献１】特開昭６２−２２０９３７号公報
【発明の概要】
【発明が解決しようとする課題】
【０００５】
しかしながら、特許文献１に示すカメラアクセサリーにあっては、カメラボディからカメラアクセサリーに供給される電源電圧と、カメラボディに接続されるカメラアクセサリーが動作する電源電圧とが異なる電圧の場合、カメラアクセサリーの動作を停止させてしまう。そのため、接続されたカメラアクセサリーを動作させることはできないという問題がある。
【０００６】
本発明は、このような事情に鑑みてなされたもので、その目的は、カメラボディから供給される電源電圧とカメラボディに接続される自装置が動作する電源電圧とが異なる電圧の場合であっても、適切な動作が可能となるカメラアクセサリー、交換レンズ、及びアダプターを提供することにある。
【課題を解決するための手段】
【０００７】
この発明は上述した課題を解決するためになされたもので、本発明は、カメラボディと着脱可能なカメラアクセサリーであって、前記カメラボディから供給される電源電圧を、当該供給される電源電圧に基づいて電圧を変更する電源電圧変更部と、前記電源電圧変更部から電源電圧が供給され所定の通信を実行する通信部と、前記電源電圧変更部から供給される電源電圧に基づいて、前記カメラボディから前記カメラアクセサリーに送信される通信信号のレベルを変更するとともに、前記カメラボディから供給される電源電圧に基づいて、前記カメラアクセサリーから前記カメラボディに送信する前記通信信号のレベルを変更するレベルシフト部とを備えることを特徴とするカメラアクセサリーである。
【０００８】
また、本発明は、上記発明におけるカメラアクセサリーが、交換レンズであることを特徴とする交換レンズである。
【０００９】
また、本発明は、上記発明におけるカメラアクセサリーが、前記カメラボディと交換レンズとの間に設置されるアダプターであって、前記カメラボディに対して接続するための第１の接続部と、前記交換レンズに対して接続するための第２の接続部と、を備えており、前記第２の接続部を介して、前記交換レンズに前記電源電圧変更部から出力される電源電圧を供給し且つ前記交換レンズとの間で前記通信信号が送受信されることを特徴とするアダプターである。
【発明の効果】
【００１０】
この発明によれば、カメラボディから供給される電源電圧とカメラボディに接続される自装置が動作する電源電圧とが異なる電圧の場合であっても、適切な動作が可能となる。
【図面の簡単な説明】
【００１１】
【図１】この発明の第１実施形態による交換レンズ２００の構成を示すブロック図である。
【図２】電源電圧変更部１９の回路構成を示す一例である。
【図３】第１実施形態による交換レンズ２００が、電源電圧に基づいて通信プロトコルを切換えるフロー図の一例である。
【図４】従来の交換レンズ２１０の構成を示すブロック図である。
【図５】この発明の第２実施形態によるアダプター３００の構成を示すブロック図である。
【図６】第２実施形態によるアダプター３００が、電源電圧に基づいて通信プロトコルの切換えと通信プロトコルの変換とを実行するフロー図の一例である。
【発明を実施するための形態】
【００１２】
＜第１実施形態＞
以下、図面を参照して、本発明の第１実施形態について説明する。図１は、この発明の第１実施形態によるカメラボディ１００、及びカメラボディ１００と着脱可能な交換レンズ２００の構成を示す概略ブロック図である。なお、本第１実施形態においてカメラアクセサリーは、交換レンズ２００を例に説明するが、カメラボディ１００と着脱可能な電子ビューファインダー装置、マイク装置、フラッシュ装置、或いは通信装置等であってもよい。
【００１３】
図１において、交換レンズ２００は、カメラボディ１００と着脱可能なカメラアクセサリーであって、交換レンズ２００の接続部２０１とカメラボディ１００の接続部１０１とが接続されて、カメラボディ１００に取り付けられている。接続部１０１及び接続部２０１は電気的に接続する接続端子（符号ａ〜ｆを参照）を備えており、この接続端子を介して、交換レンズ２００とカメラボディ１００との間で電源の供給及び通信信号の送受信がされる。
【００１４】
カメラボディ１００は、バッテリー３、ＤＣ／ＤＣコンバータ４、ボディＣＰＵ５、及び接続部１０１を備えている。なお、カメラボディ１００は、他に撮像部、画像処理部、及び記憶部等のカメラが撮像して記録する上で必要な構成を備えているが、本実施形態の説明では交換レンズと接続される構成に絞っており、他の構成を省略する。
【００１５】
バッテリー３は、カメラボディ１００の主電源であって、リチウムイオン電池或いはニッケル水素電池等の２次電池である。なお、バッテリー３として、アルカリ乾電池等の１次電池を用いてもよい。ＤＣ／ＤＣコンバータ４は、バッテリー３から供給されるバッテリー電圧ＶＢＡＴを、カメラボディ１００を制御するボディＣＰＵ５を動作させるための電圧Ｖｄｄに変更して出力する。ボディＣＰＵ５は、ＤＣ／ＤＣコンバータ４から出力された電圧Ｖｄｄで動作し、カメラボディ１００の動作を制御する。また、ボディＣＰＵ５は、交換レンズ２００の動作を制御するための通信信号を交換レンズ２００との間で送受信する。接続部１０１には、バッテリー３から供給されるバッテリー電圧ＶＢＡＴ、ＤＣ／ＤＣコンバータ４が供給する電圧Ｖｄｄ、及びボディＣＰＵ５と交換レンズ２００との間で送受信する通信信号が供給される。
【００１６】
次に、交換レンズ２００の構成について説明する。
交換レンズ２００は、レンズ３０、ＡＦ駆動回路２３、ＡＦアクチュエータ２４、ＡＦレンズユニット２５、ＡＦエンコーダ処理回路２６、絞り駆動回路２７、絞りアクチュエータ２８、絞りユニット２９、レンズＣＰＵ２０、レベルシフト部１８、電源電圧変更部１９、及び接続部２０１を備える。
【００１７】
レンズ３０から入力される光学像は、ＡＦレンズユニット２５と絞りユニット２９とを介して、カメラボディ１００へと出力される。
ＡＦ駆動回路２３は、レンズＣＰＵ２０の制御に基づいて、ＡＦアクチュエータ２４を駆動してＡＦレンズユニット２５を動作させる。ＡＦエンコーダ処理回路２６は、ＡＦレンズユニット２５におけるＡＦレンズの位置情報を検出してレンズＣＰＵ２０に出力する。また、絞り駆動回路２７は、レンズＣＰＵ２０の制御に基づいて、絞りアクチュエータ２８を駆動して、絞りユニット２９を動作させる。
【００１８】
接続部２０１は、カメラボディ１００の接続部１０１と接続される。接続部２０１及び接続部１０１は、複数の電気的な接続端子を備えている。接続部２０１の接続端子ａ１２は、接続部１０１の接続端子ａ６と接続され、交換レンズ２００には、カメラボディ１００のバッテリー３から出力されるバッテリー電圧ＶＢＡＴが供給される。接続部２０１の接続端子ｂ１３は、接続部１０１の接続端子ｂ７と接続され、交換レンズ２００には、カメラボディ１００のＤＣ／ＤＣコンバータ４から出力される電圧Ｖｄｄが供給される。接続部２０１の接続端子ｃ１４、ｄ１５、及びｅ１６は、接続部１０１の接続端子ｃ８、ｄ９、及びｅ１０とそれぞれ接続され、交換レンズ２００とカメラボディ１００との間で通信信号が送受信される。接続部２０１の接続端子ｆ１７は、接続部１０１の接続端子ｆ１１と接続され、交換レンズ２００とカメラボディ１００とのそれぞれのＧＮＤが接続される。
【００１９】
ここで、交換レンズ２００の接続部２０１にカメラボディ１００のバッテリー３から供給されたバッテリー電圧ＶＢＡＴは、高電力系の電源電圧である。このバッテリー電圧ＶＢＡＴは、接続端子ａ６と接続端子ａ１２とを介して交換レンズ２００のＡＦ駆動回路２３、及び絞り駆動回路２７にそれぞれ供給される。また、交換レンズ２００の接続部２０１にカメラボディ１００のＤＣ／ＤＣコンバータ４から供給される電圧Ｖｄｄは、ロジック系の電源電圧である。この電圧Ｖｄｄは、接続端子ｂ７と接続端子ｂ１３とを介して、交換レンズ２００の電源電圧変更部１９、レベルシフト部１８、及びＡＦエンコーダ処理回路２６にそれぞれ供給される。
【００２０】
また、接続部２０１と接続部１０１との間で送受信される通信信号は、交換レンズ２００のレンズ情報や、ＡＦレンズユニット２５及び絞りユニット２９の動作を制御するための光学系制御情報を通信する信号である。例えば、交換レンズ２００のレンズ情報は、レンズ構成、絞り構成、或いは開放Ｆ値等の情報や、ＡＦレンズの位置情報等であり、交換レンズ２００からカメラボディ１００に送信される。また、交換レンズ２００の光学系制御情報は、交換レンズ２００からカメラボディ１００へ出力された光学像、及びカメラボディ１００において設定されている撮影するため設定情報や操作等に基づいた、ＡＦレンズの駆動制御情報及び絞りの切り換え制御情報である。この交換レンズ２００の光学系制御情報は、カメラボディ１００から交換レンズ２００に送信される。これらの接続部２０１と接続部１０１との間で送受信される通信信号に基づいて、ＡＦ駆動回路２３はＡＦレンズユニット２５のレンズを動作させて合焦させ、絞り駆動回路２７は絞りの切換え動作を制御する。
【００２１】
電源電圧変更部１９には、カメラボディ１００のＤＣ／ＤＣコンバータ４から出力される電圧Ｖｄｄがカメラボディ１００の接続部１０１と交換レンズ２００の接続部２０１とを介して供給されて入力される。電源電圧変更部１９は、入力される電圧に基づいて、当該電圧をレンズＣＰＵ２０が動作する電圧Ｖｃｃに変更して出力する。
例えば、電圧Ｖｃｃ＝３．３Ｖで動作する交換レンズ２００に対して、電圧Ｖｄｄ＝５．０Ｖで動作するカメラボディ１００が接続された場合、電源電圧変更部１９は、入力された電圧Ｖｄｄ＝５．０Ｖを電圧Ｖｃｃ＝３．３Ｖに降圧して出力する。また、電圧Ｖｃｃ＝３．３Ｖで動作する交換レンズ２００に対して、電圧Ｖｄｄ＝３．３Ｖで動作するカメラボディ１００が接続された場合、電源電圧変更部１９は、入力された電圧Ｖｄｄ＝３．３Ｖの電圧を変更しないで、電圧Ｖｃｃ＝３．３Ｖを出力する。
【００２２】
レンズＣＰＵ２０は、交換レンズ２００の動作を制御するＣＰＵであり、電源電圧検出部２２と通信部２１とを備える。
電源電圧検出部２２は、交換レンズ２００の接続部２０１とカメラボディ１００の接続部１０１とを介してＤＣ／ＤＣコンバータ４から供給される電圧Ｖｄｄの電圧値を検出する。電源電圧検出部２２は、電圧Ｖｄｄを、抵抗Ｒ１と抵抗Ｒ２とで分圧してＡ／Ｄ変換入力ポートに入力し、入力された電圧をデジタル変換し、変換した値に基づいて電圧値を検出する。電源電圧検出部２２は、検出した結果を通信部２１に出力する。
通信部２１は、交換レンズ２００の接続部２０１とカメラボディ１００の接続部１０１とを介してカメラボディ１００のボディＣＰＵ５との間で、交換レンズ２００のレンズ情報及び光学系制御情報を送受信する。レンズＣＰＵ２０は、通信部２１で送受信されたレンズ情報及び光学系制御情報に基づいて、ＡＦ駆動回路２３及び絞り駆動回路２７に、ＡＦレンズユニット２５及び絞りユニット２９の動作を制御する制御信号をそれぞれ出力する。また、通信部２１は、電源電圧検出部２２が検出したＤＣ／ＤＣコンバータ４から供給される電圧Ｖｄｄに基づいて、通信プロトコルの切換え或いは通信プロトコルの変換を実行する。
【００２３】
レベルシフト部１８は、レンズＣＰＵ２０の通信部２１と接続部２０１との間に接続されており、また、ＤＣ／ＤＣコンバータ４から供給される電圧Ｖｄｄ及び電源電圧変更部１９から出力される電圧Ｖｃｃが供給される。そして、レベルシフト部１８は、通信部２１が出力する通信信号の信号レベルを、ＤＣ／ＤＣコンバータ４から供給される電圧Ｖｄｄに応じてレベル変更して接続部２０１の接続端子ｃ１４に出力する。また、レベルシフト部１８は、接続部２０１の接続端子ｄ１５及びｅ１６から入力される通信信号の信号レベルを、電源電圧変更部１９から出力される電圧Ｖｃｃに応じてレベル変更してレンズＣＰＵ２０の通信部２１に入力する。これにより、ボディＣＰＵ５に入力される通信信号の信号レベルはボディＣＰＵ５の電源電圧Ｖｄｄの信号レベルになり、レンズＣＰＵ２０に入力される通信信号の信号レベルはレンズＣＰＵ２０の電源電圧Ｖｃｃの信号レベルになる。
【００２４】
次に、本第１実施形態において、交換レンズ２００が、カメラボディ１００と交換レンズ２００との間で送受信される通信信号のレベルと、レンズＣＰＵ２０が動作する電圧Ｖｃｃとを、カメラボディ１００から供給される電圧Ｖｄｄに基づいてそれぞれ変更する動作について説明する。一例として、電圧Ｖｃｃ＝３．３Ｖ（Ａシステム）で動作する交換レンズ２００に対して、電圧Ｖｄｄ＝５．０Ｖ（Ｂシステム）と電圧Ｖｄｄ＝３．３Ｖ（Ａシステム）とで動作する２種類のカメラボディ１００がそれぞれ接続された場合について説明する。ここで、Ａシステムは、電圧３．３Ｖで動作するレンズ交換式のカメラシステムであり、Ｂシステムは、電圧５．０Ｖで動作するレンズ交換式のカメラシステムである。
【００２５】
１） Ａシステム（電圧Ｖｃｃ＝３．３Ｖ）の交換レンズ２００とＢシステム（電圧Ｖｄｄ      ＝５．０Ｖ）のカメラボディ１００とが接続された場合。
交換レンズ２００の接続部２０１は、カメラボディ１００の接続部１０１に接続され、接続部２０１と接続部１０１との接続端子を介して、電源電圧の供給及び通信信号の送受信がされる。カメラボディ１００のＤＣ／ＤＣコンバータ４から供給される電圧Ｖｄｄ＝５．０Ｖは、接続部１０１の接続端子ｂ７と接続部２０１の接続端子ｂ１３とを介して、電源電圧変更部１９に入力される。電源電圧変更部１９は、入力される電圧Ｖｄｄ＝５．０Ｖを、交換レンズ２００のレンズＣＰＵ２０が動作する電圧Ｖｃｃ＝３．３Ｖに降圧して出力する。
【００２６】
次に、レベルシフト部１８は、Ａシステムの交換レンズ２００とＢシステムのカメラボディ１００との間で送受信される通信信号の信号レベルを、Ａシステムの電圧ＶｃｃとＢシステムの電圧Ｖｄｄとに基づいて、以下のようにそれぞれ変更して出力する。
レベルシフト部１８は、レンズＣＰＵ２０から電圧Ｖｃｃ＝３．３Ｖの信号レベルで出力された通信信号を、電圧Ｖｄｄ＝５．０Ｖの信号レベルに変更して接続部２０１と接続部１０１とを介してボディＣＰＵ５に出力する。また、レベルシフト部１８は、ボディＣＰＵ５から電圧Ｖｄｄ＝５．０Ｖの信号レベルで出力され接続部１０１と接続部２０１とを介して入力された通信信号を、電圧Ｖｃｃ＝３．３Ｖの信号レベルに変更して、レンズＣＰＵ２０に入力する。
【００２７】
よって、Ａシステムの交換レンズ２００にＢシステムのカメラボディ１００を接続した場合、Ａシステムの交換レンズ２００は、電源電圧変更部１９が電圧Ｖｄｄ＝５．０Ｖを電圧Ｖｃｃ＝３．３Ｖに変更し、レベルシフト部１８が通信信号の信号レベルをそれぞれ電圧Ｖｄｄ＝５．０Ｖと電圧Ｖｃｃ＝３．３Ｖとに基づいて変更する。このように、異なる電源システムの交換レンズ２００とカメラボディ１００とを接続した場合、電源電圧と通信信号の信号レベルとは、適切に変更される。
【００２８】
次に、本第１実施形態において、互いに同じシステムとなるＡシステムの電源電圧の交換レンズ２００とＡシステムのカメラボディ１００とが接続された場合の動作について説明する。
２） Ａシステム（電圧Ｖｃｃ＝３．３Ｖ）の交換レンズ２００とＡシステム（電圧Ｖｄｄ      ＝３．３Ｖ）のカメラボディ１００とが接続された場合。
カメラボディ１００のＤＣ／ＤＣコンバータ４から供給される電圧Ｖｄｄ＝３．３Ｖは、接続部１０１の接続端子ｂ７と接続部２０１のｂ１３を介して、電源電圧変更部１９に入力される。電源電圧変更部１９は、入力される電圧Ｖｄｄ＝３．３Ｖを交換レンズ２００のレンズＣＰＵ２０が動作する電圧Ｖｃｃ＝３．３Ｖとして出力する。
【００２９】
次に、レベルシフト部１８は、Ａシステムの交換レンズ２００とＡシステムのカメラボディ１００との間で送受信される通信信号の信号レベルを、Ａシステムの電圧ＶｃｃとＡシステムの電圧Ｖｄｄとに基づいてそれぞれ変更する。この場合、電圧Ｖｄｄ＝電圧Ｖｃｃ＝３．３Ｖであるため、レベルシフト部１８において、それぞれの通信信号の信号レベルは電圧Ｖｄｄ＝電圧Ｖｃｃ＝３．３Ｖの信号レベルで出力され、Ａシステムの交換レンズ２００とＡシステムのカメラボディ１００との間で送受信される。
【００３０】
よって、Ａシステムの交換レンズ２００に同じ電源電圧のＡシステムのカメラボディ１００を接続した場合、Ａシステムの交換レンズ２００は、電源電圧変更部１９が電圧Ｖｄｄ＝３．３Ｖを電圧Ｖｃｃ＝３．３Ｖとして出力し、レベルシフト部１８が通信信号の信号レベルを電圧Ｖｄｄ＝電圧Ｖｃｃ＝３．３Ｖの信号レベルとする。このように、同じ電源システムの交換レンズ２００とカメラボディ１００とを接続した場合であっても、電源電圧と通信信号の信号レベルとは、適切に変更される。
【００３１】
次に、図２を用いて電源電圧変更部１９の回路の一例と、その回路の動作とについて説明する。
端子Ｉ１及び端子Ｉ２は、電源電圧変更部１９の入力端子である。端子Ｉ１は、接続部２０１の接続端子ｂ１３に接続され、電圧Ｖｄｄが入力される。端子Ｉ２は、接続部２０１の接続端子ｆ１７のＧＮＤに接続される。また、端子ＯＴ１は、電源電圧変更部１９の出力端子であり、レンズＣＰＵ２０及びレベルシフト部に電圧Ｖｃｃを供給する。端子Ｉ１はダイオードＤ１のアノード端子に接続され、ダイオードＤ１のカソード端子はレギュレータ５１のＩＮ端子と、コンデンサＣ１の一端に接続される。コンデンサＣ１の他端は端子Ｉ２（ＧＮＤ）に接続される。レギュレータ５１のＯＵＴ端子は、端子ＯＴ１とコンデンサＣ２の一端とに接続される。コンデンサＣ２の他端とレギュレータ５１のＧＮＤ端子は、それぞれ端子Ｉ２（ＧＮＤ）に接続される。
【００３２】
また、端子Ｉ１は、ＰＭＯＳトランジスタＴｒ３のソース端子と抵抗Ｒ８の一端とに接続される。抵抗Ｒ８の他端は、ＰＭＯＳトランジスタＴｒ３のゲート端子に接続され、ＰＭＯＳトランジスタＴｒ３のドレイン端子は、端子ＯＴ１に接続される。
更に、端子Ｉ１は、抵抗Ｒ３の一端と抵抗Ｒ６の一端とにそれぞれ接続される。抵抗Ｒ３の他端は抵抗Ｒ４の一端に接続され、抵抗Ｒ４他端は端子Ｉ２（ＧＮＤ）に接続される。また、抵抗Ｒ３と抵抗Ｒ４との接続点に抵抗Ｒ５の一端が接続され、抵抗Ｒ５の他端はトランジスタＴｒ１のベース端子に接続される。
【００３３】
トランジスタＴｒ１のエミッタ端子は端子Ｉ２（ＧＮＤ）に接続される。トランジスタＴｒ１のコレクタ端子は、一端が端子Ｉ１に接続された抵抗Ｒ６の他端と、抵抗Ｒ７の一端とに接続され、抵抗Ｒ７の他端はトランジスタＴｒ２のベース端子に接続される。また、トランジスタＴｒ２のエミッタ端子はＧＮＤに接続される。そして、トランジスタＴｒ２のコレクタ端子は抵抗Ｒ９の一端に接続され、抵抗Ｒ９の他端は、一端が端子Ｉ１に接続された抵抗Ｒ８の他端とＰＭＯＳトランジスタＴｒ３のゲート端子との接続点、及びレギュレータ５１のＣＥ（チップイネーブル）端子に接続される。
【００３４】
よって、この図２の回路において、端子Ｉ１に入力される電圧Ｖｄｄは抵抗Ｒ３と抵抗Ｒ４とにより分圧され、分圧された電圧は抵抗Ｒ５を介してトランジスタＴｒ１のベース端子に入力され、トランジスタＴｒ１のＯＮとＯＦＦとが制御される。この制御されるトランジスタＴｒ１のコレクタ電圧が、抵抗Ｒ７を介してトランジスタＴｒ２のベース端子に入力され、トランジスタＴｒ２のＯＮとＯＦＦとが制御される。また、レギュレータ５１は、入力される電圧を３．３Ｖに降圧して出力する電圧レギュレータであり、ＣＥ端子がＨｉｇｈレベルの場合にイネーブル状態となる。ＰＭＯＳトランジスタＴｒ３のゲート端子は、ゲート電圧がＬｏｗレベルの場合に、ＰＭＯＳトランジスタＴｒ３はＯＮしてソース端子の電圧Ｖｄｄがドレイン端子に出力される。そして、トランジスタＴｒ２のＯＮとＯＦＦとが制御されることにより、レギュレータ５１のＣＥ端子とＰＭＯＳトランジスタＴｒ３のゲート端子とが制御される。この制御により、端子ＯＴ１に出力される電圧Ｖｃｃは、レギュレータ５１のＯＵＴ端子の出力と、ＰＭＯＳトランジスタＴｒ３のドレイン端子の出力とが切換えられて出力される。
【００３５】
次に、図２に示した回路において、入力電圧Ｖｄｄ＝５．０Ｖと入力電圧Ｖｄｄ＝３．３Ｖとのそれぞれの場合についての動作を説明する。
まず、図２に示した回路において電圧Ｖｄｄ＝５．０Ｖが入力された場合、以下のように動作して、電圧Ｖｃｃ＝３．３Ｖが出力される。
図２のＴｒ１のベース端子は、抵抗Ｒ３と抵抗Ｒ４とにおいて（Ｒ３／（Ｒ３+Ｒ４））＝０．１５となるように分圧されている。よって、電圧Ｖｄｄ＝５．０Ｖの場合トランジスタＴｒ１のベース端子の電圧は（Ｒ３／（Ｒ３+Ｒ４））×Ｖｄｄ＝０．７５Ｖとなり、トランジスタＴｒ１はＯＮする。トランジスタＴｒ１がＯＮすることに応じてトランジスタＴｒ２のベース端子はＧＮＤレベル（Ｌｏｗ）となるため、トランジスタＴｒ２はＯＦＦする。トランジスタＴｒ２がＯＦＦすると、ＰＭＯＳトランジスタＴｒ３のゲート端子とレギュレータ５１のＣＥ端子とは電圧Ｖｄｄ＝５．０Ｖ（Ｈｉｇｈ）となるため、ＰＭＯＳトランジスタＴｒ３はＯＦＦし、レギュレータ５１のＯＵＴ端子から、電圧Ｖｄｄ＝５．０Ｖから３．３Ｖに降圧された電圧が電圧Ｖｃｃとして出力される。
【００３６】
また、図２に示した回路において電圧Ｖｄｄ＝３．３Ｖが入力された場合、以下のように動作して、電圧Ｖｃｃ＝３．３Ｖが出力される。
図２のＴｒ１のベース端子は、抵抗Ｒ３と抵抗Ｒ４とにおいて（Ｒ３／（Ｒ３+Ｒ４））＝０．１５となるように分圧されている。よって、電圧Ｖｄｄ＝３．３Ｖの場合トランジスタＴｒ１のベース端子の電圧は（Ｒ３／（Ｒ３+Ｒ４））×Ｖｄｄ＝０．４９５Ｖとなり、トランジスタＴｒ１はＯＦＦする。トランジスタＴｒ１がＯＦＦすることに応じてトランジスタＴｒ２のベース端子は電圧Ｖｄｄ＝３．３Ｖ（Ｈｉｇｈ）となるため、トランジスタＴｒ２はＯＮする。トランジスタＴｒ２がＯＮすると、ＰＭＯＳトランジスタＴｒ３のゲート端子とレギュレータ５１のＣＥ端子とはＧＮＤレベル（Ｌｏｗ）となるため、レギュレータ５１のＯＵＴ端子には電圧が出力されず、ＰＭＯＳトランジスタＴｒ３はＯＮして電圧Ｖｄｄ＝３．３Ｖが電圧Ｖｃｃとして出力される。
【００３７】
このように、図２に示した回路において、電圧Ｖｄｄ＝５．０Ｖが入力された場合は、レギュレータ５１の出力に切換えられて電圧Ｖｃｃ＝３．３Ｖが出力され、電圧Ｖｄｄ＝３．３Ｖが入力された場合は、ＰＭＯＳトランジスタＴｒ３の出力に切換えられて電圧Ｖｃｃ＝３．３Ｖが出力される。
【００３８】
上述したように、図２に示した電源電圧変更部１９の回路は、レギュレータ５１のみの構成ではなく、レギュレータ５１とＰＭＯＳトランジスタＴｒ３との出力を切換える構成である。この回路構成により、電源電圧変更部１９は、同じ電源電圧のシステムのカメラボディ１００と交換レンズ２００とが接続された場合であっても適切な電圧を出力することができる。仮に、レギュレータ５１のみの構成とした場合は、電圧Ｖｄｄが入力された電源電圧変更部１９が、その電圧Ｖｄｄで出力しようとしても、実際に出力される電圧は、電圧Ｖｄｄに対してレギュレータ５１のドロップアウト電圧に応じた電圧降下が生じる。電圧精度の高い一般的な電圧レギュレータは、入力電圧と出力電圧の差であるドロップアウト電圧が大きいため、交換レンズ２００を安定して動作させる事が困難である。これを解決するために、電源電圧変更部１９はＰＭＯＳトランジスタＴｒ３を用いて電圧Ｖｄｄをスルー接続して出力する回路を、レギュレータ５１と並列に備える。ＰＭＯＳトランジスタＴｒ３は、ＯＮ抵抗が十分に小さいトランジスタ（ＦＥＴ）を使用する。
【００３９】
次に、ＡシステムとＢシステムとで通信プロトコルが異なる場合に、交換レンズ２００が、通信プロトコルを切換えてカメラボディ１００と通信信号を送受信する場合について説明する。
カメラボディ１００と交換レンズ２００とを接続した場合に、使用者の操作性を損なわないように高速且つ安定に動作する必要がある。そのため、カメラボディ１００と交換レンズ２００との間でレンズの制御に関するデータを送受信するための通信プロトコルを細かく規格化して通信している。そこで、動作電圧が異なるＣＰＵを用いて制御するＡシステムとＢシステムでは、それぞれの動作電圧のＣＰＵに最適化した通信プロトコルを規格化して適応することが望ましい。よって、Ａシステムの電源に対応した通信プロトコルのカメラボディ１００及び交換レンズ２００と、Ｂシステムの電源に対応した通信プロトコルのカメラボディ１００及び交換レンズ２００とを、システムを超えて接続可能とするためには、電源電圧の変更及び通信信号の信号レベルの変更のみならず、通信プロトコルの変更が必要である。
【００４０】
電源電圧検出部２２は、カメラボディ１００のＤＣ/ＤＣコンバータ４から出力されて接続部１０１と接続部２０１とを介して供給される電圧Ｖｄｄの電圧値を検出する。
電源電圧検出部２２は、電圧Ｖｄｄを分圧するための抵抗Ｒ１と抵抗Ｒ２とを備え、分圧された電圧をレンズＣＰＵ２０のＡ／Ｄコンバータ入力端子に入力し、デジタル変換した電圧値を検出する。電圧Ｖｄｄを分圧しているのは、レンズＣＰＵ２０のＡ／Ｄ変換ポートにレンズＣＰＵ２０を動作させる電圧Ｖｃｃ以上の電圧が入力されることを防止するためである。例えば電圧Ｖｃｃ＝３．３Ｖで動作するレンズＣＰＵ２０に対して、電圧Ｖｄｄ＝５．０Ｖがカメラボディ１００から供給された場合、（Ｒ２×５．０／（Ｒ１＋Ｒ２））＜３．３となるように抵抗Ｒ１と抵抗Ｒ２とを設計する。また、レンズＣＰＵ２０のＡ／Ｄ変換ポートには分圧された電圧が入力されるため、デジタル変換して検出した電圧値は、実際の電圧Ｖｄｄに（Ｒ２／（Ｒ１＋Ｒ２））を乗算した値である。
【００４１】
また、電源電圧検出部２２は、検出した電圧Ｖｄｄの電圧値を通信部２１に出力する。通信部２１は、ＡシステムとＢシステムとのそれぞれの通信プロトコルの機能を有しており、電源電圧検出部２２から入力された電圧Ｖｄｄの電圧値に基づいて、通信プロトコルを切換える。すなわち、通信部２１は、電源電圧検出部２２から入力された電圧Ｖｄｄが、Ａシステムの電圧Ｖｄｄ＝３．３Ｖであるか、或いはＢシステムの電圧Ｖｄｄ＝５．０Ｖであるかを、予め設定されている閾値と比較して判定し、Ａシステムの通信プロトコルとＢシステムの通信プロトコルとを選択して切換える。
【００４２】
図３は、Ａシステム（電圧Ｖｃｃ＝３．３Ｖ）の交換レンズ２００が、カメラボディ１００と接続されユーザーによりカメラボディ１００の電源が投入された後に、通信プロトコルを選択して切換える動作を示したフロー図である。
まず、電源電圧変更部１９に、カメラボディ１００から電圧Ｖｄｄが入力される（ステップＳ１１）。次に、カメラボディ１００から供給された電圧Ｖｄｄに基づいて、交換レンズ２００において、電源電圧変更部１９は電圧Ｖｃｃを供給する（ステップＳ１２）。続いて、電源電圧検出部２２は、電圧Ｖｄｄの電圧値をＡ／Ｄ変換ポートに入力してデジタル変換して検出する（ステップＳ１３）。
【００４３】
ここで、通信部２１は、電源電圧検出部２２から入力された電圧Ｖｄｄの電圧値が、Ａシステムの交換レンズ２００の電源電圧以下であるか否かを判定する（ステップＳ１４）。ステップＳ１４の判定結果がＹＥＳである場合、通信部２１は、Ａシステムの通信プロトコルに切換える。すなわち電圧Ｖｄｄが、同じＡシステムの電源電圧である場合は、通信部２１は、Ａシステムの通信プロトコルに切換える（ステップＳ１５）。一方、ステップＳ１４の判定結果がＮＯである場合、通信部２１は、Ｂシステムの通信プロトコルに切換える。すなわち電圧Ｖｄｄが、Ａシステムの電源電圧より高い電圧であるＢシステムの電源電圧である場合は、Ｂシステムの通信プロトコルに切換える（ステップＳ１６）。
次に、通信部２１は、ステップＳ１５或いはステップＳ１６において切換えたＡシステムの通信プロトコル或いはＢシステムの通信プロトコルを用いて、カメラボディ１００のボディＣＰＵ５と通信を開始する（ステップＳ１７）。
【００４４】
このように、本第１実施形態においては、異なる電源電圧で動作するカメラボディ１００と交換レンズ２００とが接続された場合であっても、電源電圧変更部１９及びレベルシフト部１８が、交換レンズ２００が動作する電源電圧、及びカメラボディ１００と交換レンズ２００との間で送受信される通信信号のレベルを、カメラボディ１００から供給される電源電圧に基づいて適切に変更する。そのため、交換レンズ２００は適切な動作が可能となる。また、異なる電源電圧にそれぞれ対応する異なる通信プロトコルのカメラボディ１００と交換レンズ２００とが接続された場合であっても、通信部２１がカメラボディ１００から供給される電源電圧に基づいて、通信プロトコルを切換えて通信することで、交換レンズ２００は適切な動作が可能である。
【００４５】
上記に説明したように、本第１実施形態においては、交換レンズ２００は電源電圧の変更、通信信号の信号レベルの変更、及び通信信号のプロトコルの切換えを実行する。そのため、ユーザーは、新規に電源電圧システムの異なる交換レンズ２００を購入した際に、カメラボディ１００は新規に買い換えることなく使用することができる。ところで、単に異なる電圧で動作するカメラボディ１００と交換レンズ２００とを接続させて動作させるためには、カメラボディ１００が、複数の電源を備えて交換レンズ２００に電源電圧を選択して供給してもよい。この場合は、カメラボディ１００と交換レンズ２００とを動作させるのに十分な容量の複数の電源をカメラボディ１００に備える必要がある。これに対比して、本第１実施形態においては、交換レンズ２００に、効果関連図２００のみを動作させるのに十分な容量の電源変更部を備えればよいため、設置サイズを小さくすること、及びコストを低減することができる。
【００４６】
＜第２実施形態＞
以下、図面を参照して、本発明の第２実施形態について説明する。まず、本第２実施形態を説明する上での比較として、図４に、本第１実施形態の発明を備えていない同じ電源電圧で動作する交換レンズ２１０とカメラボディ１１０との構成の一例を示している。図５は、本第２実施形態における、交換レンズ２１０、カメラボディ１００、及びアダプター３００の構成を示す一例である。図５に示されるように、本第２実施形態は、第１実施形態における電源電圧の変更、及び通信信号のレベル或いは通信プロトコルを変更する構成を、交換レンズ２１０とカメラボディ１００との間に接続して設置されるアダプター３００の中に備える構成である。よって、異なる電源電圧システムの交換レンズ２１０とカメラボディ１００とを接続する場合に、アダプター３００を間に接続し、アダプター３００が電源電圧を変更して交換レンズ２１０に供給するとともに、アダプター３００が通信信号の変更を実行して中継して通信する。
図４及び図５において図１の各部に対応する部分には同一の符号を付け、その説明を省略する。
【００４７】
図４に示されるように、電源システムが同じである交換レンズ２１０とカメラボディ１１０とが接続部２１１と接続部１１１とで接続されている。接続部２１１と接続部１１１とは、図１に示した接続部２０１と接続部１０１とに対応しており、接続部２０１と接続部１０１とが備えているのと同様に複数の電気的に接続される接続端子を備えている。この接続端子を介して、交換レンズ２１０とカメラボディ１１０との間で電源の供給及び通信信号の送受信がされることにより、交換レンズ２１０は、所定の動作を実行する。
【００４８】
次に、本第２実施形態においては、図５に示されるように、交換レンズ２１０とカメラボディ１００との間にアダプター３００が設置されている。図５の交換レンズ２１０は、図４に示した交換レンズ２１０であり、カメラボディ１１０と同じ電源電圧のシステムで接続されるが、図１に示した交換レンズ２００と同様な異なる電源電圧のシステムのカメラボディ１００との接続には対応していない。
アダプター３００は、例えば、互いに異なるマウントである交換レンズ２１０とカメラボディ１００とを接続可能とするマウントアダプターである。アダプター３００は、接続部３０１と接続部３０２との２つの接続部を備えている。接続部３０１は、カメラボディ１００の接続部１０１と接続され、接続部３０２は、交換レンズ２１０の接続部２１１と接続される。
【００４９】
接続部３０１の備える接続端子は、図１に示した接続部２０１の備える接続端子とそれぞれ対応しており、接続部１０１の備えるバッテリー電圧ＶＢＡＴ、電圧Ｖｄｄ、通信信号、及びＧＮＤのそれぞれの接続端子と接続される。
接続部３０２の接続端子ａ４３及びｆ４８は、接続部２１１の接続端子ａ１２及びｆ１７とそれぞれ接続され、カメラボディ１００から供給されたバッテリー電圧ＶＢＡＴ及びＧＮＤをアダプター３００が中継して交換レンズ２１０に供給する。接続部３０２の接続端子ｂ４４は、接続部２１１の接続端子ｂ１３と接続され、電源電圧変更部１９の出力電圧Ｖｃｃを交換レンズ２１０に供給する。接続部３０２の接続端子ｃ４５、ｄ４６、及びｅ４７は、接続部２１１の接続端子ｃ１４、ｄ１５、及びｅ１６とそれぞれ接続される。これにより、カメラボディ１００との間で送受信される通信信号がアダプター３００を中継して交換レンズ２１０と送受信される。
【００５０】
電源電圧変更部１９は、図１で示した構成と同様に、ＤＣ／ＤＣコンバータ４から供給される電圧Ｖｄｄを、接続される交換レンズ２１０のレンズＣＰＵ２０が動作し、且つアダプターＣＰＵ４２が動作する電圧Ｖｃｃに変更して出力する。また、出力された電圧Ｖｃｃは、接続部３０２の接続端子ｂ４４と接続部２１１のｂ１３とを介して交換レンズ２１０に供給される。
【００５１】
アダプターＣＰＵ４２は、アダプター３００の動作を制御するＣＰＵであり、電源電圧検出部２２と通信部２１とを備える。
電源電圧検出部２２は、図１で説明したようにＤＣ／ＤＣコンバータ４から供給される電圧Ｖｄｄの電圧値を検出して、検出した結果を通信部２１に出力する。
通信部２１は、接続部３０１と接続部１０１とを介してカメラボディ１００のボディＣＰＵ５との間で、交換レンズ２１０の動作を制御するための通信信号を送受信する。そして、通信部２１は、送受信した通信信号を、接続部３０２と接続部２１１を介して交換レンズ２１０のレンズＣＰＵ２０と送受信する。レンズＣＰＵ２０は、送受信された通信信号に基づいて、ＡＦ駆動回路２３に制御信号を出力する。また、通信部２１は、電源電圧検出部２２が検出したＤＣ／ＤＣコンバータ４から供給される電圧Ｖｄｄに基づいて、通信プロトコルの切換え、或いは通信プロトコルを変換を実行する。
【００５２】
レベルシフト部１８は、アダプターＣＰＵ４２の通信部２１と接続部３０１との信号間に接続されており、通信部２１が出力する通信信号の信号レベルを、ＤＣ／ＤＣコンバータ４から供給される電圧Ｖｄｄに応じてレベル変更して接続部３０１の接続端子ｃ３８に出力する。また、レベルシフト部１８は、接続部３０１の接続端子ｄ３９及びｅ４０から入力される通信信号の信号レベルを、電源電圧変更部１９から出力される電圧Ｖｃｃに応じてレベル変更して通信部２１に入力する。なお、電圧Ｖｃｃは交換レンズ２１０のレンズＣＰＵ２０が動作する電圧でもある。そのため、通信部２１は、電圧Ｖｃｃに応じた信号レベルで、レンズＣＰＵ２０との間で通信信号の送受信が可能である。
【００５３】
次に、本第２実施形態において、アダプター３００が、カメラボディ１００と交換レンズ２１０との間で送受信される通信信号のレベルと、交換レンズ２１０が動作する電圧Ｖｃｃとを、カメラボディ１００から供給される電源電圧に基づいてそれぞれ変更する動作について説明する。一例として、電圧Ｖｃｃ＝３．３Ｖ（Ａシステム）で動作する交換レンズ２１０に対して、電圧Ｖｄｄ＝５．０Ｖ（Ｂシステム）と電圧Ｖｄｄ＝３．３Ｖ（Ａシステム）とで動作する２種類のカメラボディ１００を、Ａシステムの交換レンズに対応したアダプター３００で、それぞれ中継して接続された場合について説明する。ここで、Ａシステムは、電圧３．３Ｖで動作するレンズ交換式のカメラシステムであり、Ｂシステムは、電圧５．０Ｖで動作するレンズ交換式のカメラシステムである。
アダプター３００の動作において、第１実施形態における交換レンズ２００の動作に対応している内容については、適宜説明を省略する。
【００５４】
アダプター３００の接続部３０１は、カメラボディ１００の接続部１０１と接続され、接続部３０１と接続部１０１との接続端子を介して、電源電圧の供給及び通信信号の送受信がされる。カメラボディ１００のＤＣ／ＤＣコンバータ４から供給される電圧Ｖｄｄは、接続部１０１の接続端子ｂ７と接続部３０１の接続端子ｂ３７とを介して、電源電圧変更部１９に入力される。電源電圧変更部１９は、入力される電圧Ｖｄｄ＝３．３Ｖ（Ａシステムの場合）或いは電圧Ｖｄｄ＝５．０Ｖ（Ｂシステムの場合）を、交換レンズ２１０のレンズＣＰＵ２０が動作する電圧Ｖｃｃ＝３．３Ｖの電圧に変更して出力する。
電源電圧変更部１９の回路の一例は図２に示した内容であり、電源電圧変更部１９の電圧Ｖｄｄが入力されて電圧Ｖｃｃを出力する動作は、第１実施形態と同様であり、説明を省略する。
【００５５】
次に、レベルシフト部１８は、信号レベルを、それぞれ電圧Ｖｄｄと電圧Ｖｃｃとに基づいて変更する。すなわち、レベルシフト部１８は、アダプターＣＰＵ４２から電圧Ｖｃｃ＝３．３Ｖの信号レベルで出力された通信信号の信号レベルを、カメラボディ１００の電源システムに応じて電圧Ｖｄｄ＝３．３Ｖ（Ａシステムの場合）或いは電圧Ｖｄｄ＝５．０Ｖ（Ｂシステムの場合）の信号レベルに変更する。変更した通信信号は、接続部３０１と接続部１０１とを介してボディＣＰＵ５に出力される。また、レベルシフト部１８は、ボディＣＰＵ５から電圧Ｖｄｄ＝３．３Ｖ（Ａシステムの場合）或いは電圧Ｖｄｄ＝５．０Ｖ（Ｂシステムの場合）の信号レベルで出力され、接続部１０１と接続部２０１とを介して入力された通信信号の信号レベルを、電圧Ｖｃｃ＝３．３Ｖの信号レベルに変更して、アダプターＣＰＵ４２に入力する。
【００５６】
また、電源電圧変更部１９から出力された電圧Ｖｃｃ＝３．３Ｖは、接続部３０２と接続部２１１とを介して交換レンズ２１０に供給される。また、アダプターＣＰＵ４２とボディＣＰＵ５との間で送受信された通信信号は、アダプターＣＰＵ４２の通信部２１とレンズＣＰＵ２０との間で、接続部３０２と接続部２１１とを介して、電圧Ｖｃｃ＝３．３Ｖの信号レベルの通信信号が送受信される。
【００５７】
よって、Ａシステムの交換レンズ２１０とＢシステムのカメラボディ１００とをアダプター３００を介して接続した場合、アダプター３００は、電源電圧変更部１９が電圧Ｖｄｄ＝５．０Ｖを電圧Ｖｃｃ＝３．３Ｖに変更し、レベルシフト部１８が通信信号の信号レベルをそれぞれ電圧Ｖｄｄ＝５．０Ｖと電圧Ｖｃｃ＝３．３Ｖとに基づいて変更する。このように、異なる電源システムの交換レンズ２００とカメラボディ１００とをアダプター３００を介して接続した場合、電源電圧と通信信号の信号レベルは、アダプター３００によって適切に変更される。
【００５８】
また、Ａシステムの交換レンズ２１０と同じ電源電圧のＡシステムのカメラボディ１００とをアダプター３００を介して接続した場合、アダプター３００は、電源電圧変更部１９が電圧Ｖｄｄ＝３．３Ｖを電圧Ｖｃｃ＝３．３Ｖとして出力し、レベルシフト部１８が通信信号の信号レベルを電圧Ｖｄｄ＝電圧Ｖｃｃ＝３．３Ｖの信号レベルとする。このように、同じ電源システムの交換レンズ２００とカメラボディ１００とをアダプター３００を介して接続した場合、電源電圧と通信信号の信号レベルは、アダプター３００によって適切に変更される。
【００５９】
ここで、交換レンズ２１０は、絞りユニット２９を駆動する動力源が無く、絞りユニット２９を操作するための絞りレバー３３を備えるレンズの例である。図４に示したように、カメラボディ１１０は、交換レンズ２１０を接続した場合、絞りレバー３３を駆動するための絞りレバー駆動アーム３２と絞りレバー駆動手段３１とを備えている。この絞りレバー駆動手段３１は、カメラボディ１１０のボディＣＰＵ５から出力される絞り段数に基づいた絞りレバー３３の駆動量に応じて、絞りレバー駆動アーム３２を動作させる。
【００６０】
しかし、図５に示したように、カメラボディ１００は、絞りレバー３３を駆動するための絞りレバー駆動アーム３２と絞りレバー駆動手段３１とを備えていない場合がある。このような場合において、交換レンズ２１０にカメラボディ１００を接続する場合は、図５に示したように、絞りレバー駆動アーム３２と絞りレバー駆動手段３１とを備えるアダプター３００を介して接続することで、カメラボディ１００は、交換レンズ２１０の絞りユニット２９を駆動することができる。すなわち、アダプターＣＰＵ４２は、カメラボディ１００のボディＣＰＵ５から通信して入力される絞り制御信号の絞り段数に基づいて絞りレバー駆動手段３１の駆動量を出力し、絞りレバー駆動手段３１を駆動して絞りレバー駆動アーム３２を動作させることができる。
【００６１】
なお、図５は上述のように絞りユニット２９を駆動する動力源が無い交換レンズ２１０を例としているが、本第２実施形態はこれに限るものではなく、絞りユニット２９を駆動する動力源を備えている交換レンズ２１０でもよい。
【００６２】
次に、ＡシステムとＢシステムとで通信プロトコルが異なる場合に、アダプター３００が、通信プロトコルを切換えてカメラボディ１００と交換レンズ２１０との間の通信信号を中継して送受信する場合について説明する。カメラボディ１００とアダプター３００との間で送受信される通信信号の通信プロトコルを切換える動作は、第１実施形態におけるカメラボディ１００と交換レンズ２００との間で通信プロトコルを切換える動作に対応しており、その説明は省略する。
【００６３】
本第２実施形態と第１実施形態との相違点は、交換レンズ２１０とアダプター３００との間では、電源システムに応じて決まる通信プロトコル（本実施例では、Ａシステムの通信プロトコル）で通信されるということである。そのため、カメラボディ１００が交換レンズ２１０と異なる電源システム（本実施例では、Ｂシステムの通信プロトコル）である場合は、アダプターＣＰＵ４２の通信部２１は、Ａシステムの通信プロトコルとＢシステムの通信プロトコルとの間のプロトコル変換を実行する。通信部２１は、例えば、Ａシステムの通信プロトコルで入力された通信データから一旦データを取り出し、次に、取り出したデータをＢシステムの通信プロトコルを用いて出力するようなプロトコル変換を実行するプロトコルコンバーターを備えている。
【００６４】
図６は、Ａシステム（電圧Ｖｃｃ＝３．３Ｖ）の交換レンズ２１０と接続されたアダプター３００が、と接続されユーザーによりカメラボディ１００の電源が投入された後に、通信プロトコルの切換えと通信プロトコルの変換とを実行する動作を示したフロー図である。
まず、電源電圧変更部１９に、カメラボディ１００から電圧Ｖｄｄが入力される（ステップＳ２１）。次に、カメラボディ１００から供給された電圧Ｖｄｄに基づいて、アダプター３００において、電源電圧変更部１９は電圧Ｖｃｃを供給する（ステップＳ２２）。続いて、電源電圧検出部２２は、電圧Ｖｄｄの電圧値をＡ／Ｄ変換ポートに入力してデジタル変換して検出する（ステップＳ２３）。
【００６５】
ここで、通信部２１は、電源電圧検出部２２から入力された電圧Ｖｄｄの電圧値が、Ａシステムの交換レンズ２１０の電源電圧以下であるか否かを判定する（ステップＳ２４）。ステップＳ２４の判定結果がＹＥＳである場合、通信部２１は、カメラボディ１００と通信する通信プロトコルをＡシステムの通信プロトコルに切換える。すなわち、電圧Ｖｄｄが、Ａシステムの電源電圧以下である同じＡシステムの電源電圧である場合は、通信部２１は、カメラボディ１００と通信する通信プロトコルをＡシステムの通信プロトコルに切換える（ステップＳ２５）。続いて、交換レンズ２１０との間ではＡシステムの通信プロトコルを用いて通信するために、通信部２１は、Ａシステムの通信プロトコルとＢシステムの通信プロトコルとの間のプロトコル変換を無効にする（ステップＳ２７）。
【００６６】
また、ステップＳ２４の判定結果がＮＯである場合、通信部２１は、Ｂシステムの通信プロトコルに切換える。すなわち、電圧Ｖｄｄが、Ａシステムの電源電圧より高い電圧であるＢシステムの電源電圧である場合は、通信部２１は、Ｂシステムの通信プロトコルに切換える（ステップＳ２６）。続いて、交換レンズ２１０との間ではＡシステムの通信プロトコルを用いて通信するために、Ａシステムの通信プロトコルとＢシステムの通信プロトコルとの間のプロトコル変換を有効にする（ステップＳ２８）。
【００６７】
次に、通信部２１は、ステップＳ２５或いはステップＳ２６において切換えたＡシステムの通信プロトコル或いはＢシステムの通信プロトコルを用いて、カメラボディ１００との通信を開始するとともに、ステップＳ２７或いはステップＳ２８において選択されたプロトコル変換の有効或いは無効に基づいて、Ａシステムの通信プロトコルを用いて交換レンズ２１０との通信を開始する（ステップＳ２９）。
【００６８】
このように、本第２実施形態においては、アダプター３００において電源電圧の変更、通信信号の信号レベルの変更、及び通信信号のプロトコルの切換えと変換が実行される。そのため、第１実施形態の交換レンズ２００以外の本発明の機能を有していない交換レンズ２１０であっても、異なる電源電圧で動作するカメラボディ１００と交換レンズ２１０とをアダプター３００を介して接続することで、適切に動作することが可能である。
【００６９】
また、本発明のアダプター３００を介して接続する場合は、複数の交換レンズ２１０に、本発明の機能をそれぞれ搭載する必要がない。そのため、複数の交換レンズ２１０をユーザーが所有して使用する場合に、ユーザーは、レンズ交換式のカメラシステム全体としてのコストを低減することができる。更に、各種の交換レンズ式のカメラシステムのマウント形状に基づいてアダプター３００を設計することで、各種の交換レンズ２１０とカメラボディ１００とを組み合わせて本発明を適用することも可能である。
また、外部の動力によって絞りレバーを動作させる絞り機構を有する交換レンズ２１０であっても、絞りレバーを駆動する手段を備えたアダプター３００を介して接続することで、絞りレバーを駆動する手段を備えていないカメラボディ１００も適切な動作が可能になる。
【００７０】
なお、本第２実施形態においてアダプター３００はマウントアダプターを例に説明したが、アダプター３００は、交換レンズ２１０とカメラボディ１００との間に接続されて使用されるテレコンバータ、或いは接写用の中間リング等であってもよい。また、第２実施形態における図５に示したアダプター３００に接続されるカメラボディ１００は、図４に示したカメラボディ１１０としてもよい。
【００７１】
なお、本発明における図１及び図５に示した電源電圧変更部１９において、電圧を降圧する回路に代えて、電圧を昇圧する回路にしてもよい。電圧を昇圧する回路にした場合は、電圧Ｖｄｄ＜電圧Ｖｃｃのカメラシステムにおいても、接続して適切な動作が可能である。
また、本発明における図１及び図５に示した電源電圧変更部１９において、電圧を降圧する回路に加えて、電圧を昇圧する回路を備えてもよい。それにより、電源電圧変更部１９は、入力された電圧に対して、その入力された電圧で出力する回路、電圧を降圧して出力する回路、或いは電圧を昇圧して出力する回路を切換えて出力することも可能である。また、この場合、通信部２１は、電圧Ｖｄｄ＝電圧Ｖｃｃ、電圧Ｖｄｄ＞電圧Ｖｃｃ、或いは電圧Ｖｄｄ＜電圧Ｖｃｃの３種類のそれぞれのカメラシステムに対応した３種類の通信プロトコルの切換え、或いは通信プロトコルの変換を実行してもよい。これにより、電圧Ｖｄｄ＝電圧Ｖｃｃ、電圧Ｖｄｄ＞電圧Ｖｃｃ、或いは電圧Ｖｄｄ＜電圧Ｖｃｃの３種類のそれぞれのカメラシステムにおいても、接続して適切な動作が可能である。
【００７２】
また、図１及び図５における通信部２１、電源電圧検出部２２の各部は、専用のハードウェアによって実行されてもよく、また、各部の機能を実現するためのプログラムをコンピュータ読み取り可能な記録媒体に記録して、この記録媒体に記録されたプログラムをコンピュータシステムに読み込ませ、実行することにより、上述の各部の処理を行ってもよい。なお、ここでいう「コンピュータシステム」とは、ＯＳや周辺機器等のハードウェアを含むものとする。
【００７３】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００７４】
以上、この発明の実施形態を図面を参照して詳述してきたが、具体的な構成はこの実施形態に限られるものではなく、この発明の要旨を逸脱しない範囲の設計等も含まれる。
【符号の説明】
【００７５】
１００・・・カメラボディ、２００・・・交換レンズ、３００・・・アダプター、１０１、１１１、２０１、２１１、３０１、３０２・・・接続部、１８・・・レベルシフト部、１９・・・電源電圧変更部、２１・・・通信部、２２・・・電源電圧検出部
【図１】
2013172195.tif 000003
【図２】
2013172195.tif 000004
【図３】
2013172195.tif 000005
【図４】
2013172195.tif 000006
【図５】
2013172195.tif 000007
【図６】
2013172195.tif 000008